(57)【要約】【課題】一定周期毎に同期信号成分が含まれる被測定信号に対し、ノイズ等の影響を低減して精度よく同期をとる回路を提供する。【解決手段】  被測定信号において一定周期で配置される位相のデータを始点とし、それぞれの始点から、同期信号成分を少なくとも一つ含む長さのデータを抽出した複数の分割信号を生成する分割信号生成部と、複数の分割信号において、対応するデータ位置のデータ値の和をそれぞれ算出し、加算信号を生成する加算信号生成部と、同期信号成分と略同一のデータを有する参照信号成分を予め格納する参照信号格納部と、加算信号に対する参照信号の相対位置を変化させ、それぞれの相対位置における加算信号と参照信号との相関値を算出する相関算出部と、相関値が最大となる相対位置に基づいて、同期信号成分の位置を検出する同期信号成分検出部とを備える同期回路を提供する。【選択図】図２
2007166167.tif 000002
【特許請求の範囲】
【請求項１】
一定周期毎に同期信号成分が含まれる被測定信号について、前記同期信号成分の位置を検出する同期回路であって、
前記被測定信号において前記一定周期で配置される位相のデータを始点とし、それぞれの前記始点から、前記同期信号成分を少なくとも一つ含む長さのデータを抽出した複数の分割信号を生成する分割信号生成部と、
前記複数の分割信号において、対応するデータ位置のデータ値の和をそれぞれ算出し、加算信号を生成する加算信号生成部と、
前記同期信号成分と略同一のデータを有する参照信号成分を予め格納する参照信号格納部と、
前記加算信号に対する前記参照信号の相対位置を変化させ、それぞれの相対位置における前記加算信号と前記参照信号との相関値を算出する相関算出部と、
前記相関値が最大となる前記相対位置に基づいて、前記同期信号成分の位置を検出する同期信号成分検出部と
を備える同期回路。
【請求項２】
前記分割信号生成部は、前記一定周期のデータ長に前記同期信号成分のデータ長を加算し、更に１単位分のデータ長を減算したデータ長を、それぞれの前記始点から抽出し、前記複数の分割信号を生成する
請求項１に記載の同期回路。
【請求項３】
前記参照信号格納部は、周波数領域の前記参照信号成分を格納し、
前記相関算出部は、
前記加算信号を周波数領域の信号に変換する信号変換部と、
周波数領域の前記参照信号成分と、周波数領域の前記加算信号とを複素共役積算する乗算部と、
前記乗算部における乗算結果を時間領域の信号に変換し、前記相対位置毎の前記相関値を算出する信号逆変換部と
を有する
請求項１に記載の同期回路。
【請求項４】
一定周期毎に同期信号成分が含まれる被測定信号について、前記同期信号成分の位置を検出する同期方法であって、
前記被測定信号において前記一定周期で配置される位相のデータを始点とし、それぞれの前記始点から、前記同期信号成分を少なくとも一つ含む長さのデータを抽出した複数の分割信号を生成する分割信号生成段階と、
前記複数の分割信号において、対応するデータ位置のデータ値の和をそれぞれ算出し、加算信号を生成する加算信号生成段階と、
前記同期信号成分と略同一のデータを有する参照信号成分を予め格納する参照信号格納段階と、
前記加算信号に対する前記参照信号の相対位置を変化させ、それぞれの相対位置における前記加算信号と前記参照信号との相関値を算出する相関算出段階と、
前記相関値が最大となる前記相対位置に基づいて、前記同期信号成分の位置を検出する同期信号成分検出段階と
を備える同期方法。
【請求項５】
一定周期毎に同期信号成分が含まれる被測定信号について、前記同期信号成分の位置を検出する同期回路を機能させるプログラムであって、
前記同期回路を、
前記被測定信号において前記一定周期で配置される位相のデータを始点とし、それぞれの前記始点から、前記同期信号成分を少なくとも一つ含む長さのデータを抽出した複数の分割信号を生成する分割信号生成部と、
前記複数の分割信号において、対応するデータ位置のデータ値の和をそれぞれ算出し、加算信号を生成する加算信号生成部と、
前記同期信号成分と略同一のデータを有する参照信号成分を予め格納する参照信号格納部と、
前記加算信号に対する前記参照信号の相対位置を変化させ、それぞれの相対位置における前記加算信号と前記参照信号との相関値を算出する相関算出部と、
前記相関値が最大となる前記相対位置に基づいて、前記同期信号成分の位置を検出する同期信号成分検出部と
して機能させるプログラム。
【請求項６】
一定周期毎に同期信号成分が含まれる被測定信号について、前記同期信号成分の位置を検出する同期回路を機能させるプログラムを格納した記録媒体であって、
前記プログラムは、前記同期回路を、
前記被測定信号において前記一定周期で配置される位相のデータを始点とし、それぞれの前記始点から、前記同期信号成分を少なくとも一つ含む長さのデータを抽出した複数の分割信号を生成する分割信号生成部と、
前記複数の分割信号において、対応するデータ位置のデータ値の和をそれぞれ算出し、加算信号を生成する加算信号生成部と、
前記同期信号成分と略同一のデータを有する参照信号成分を予め格納する参照信号格納部と、
前記加算信号に対する前記参照信号の相対位置を変化させ、それぞれの相対位置における前記加算信号と前記参照信号との相関値を算出する相関算出部と、
前記相関値が最大となる前記相対位置に基づいて、前記同期信号成分の位置を検出する同期信号成分検出部と
して機能させる記録媒体。
【請求項７】
一定周期毎に同期信号成分が含まれる送信信号を受信する受信装置であって、
前記送信信号の前記同期信号成分の位置を検出する同期回路と、
前記同期回路が検出した前記同期信号成分の位置に基づいて、前記送信信号の信号処理を行う処理部と
を備え、
前記同期回路は、
前記被測定信号において前記一定周期で配置される位相のデータを始点とし、それぞれの前記始点から、前記同期信号成分を少なくとも一つ含む長さのデータを抽出した複数の分割信号を生成する分割信号生成部と、
前記複数の分割信号において、対応するデータ位置のデータ値の和をそれぞれ算出し、加算信号を生成する加算信号生成部と、
前記同期信号成分と略同一のデータを有する参照信号成分を予め格納する参照信号格納部と、
前記加算信号に対する前記参照信号の相対位置を変化させ、それぞれの相対位置における前記加算信号と前記参照信号との相関値を算出する相関算出部と、
前記相関値が最大となる前記相対位置に基づいて、前記同期信号成分の位置を検出する同期信号成分検出部と
を有する受信装置。
【発明の詳細な説明】
【技術分野】
【０００１】
本発明は、一定周期毎に同期信号成分が含まれる信号の同期位置を検出する同期回路及び同期方法、同期回路を機能させるプログラム及びプログラムを格納した記録媒体、並びに同期回路を備える受信装置に関する。
【背景技術】
【０００２】
例えばＣＤＭＡ（Ｃｏｄｅ  Ｄｉｖｉｓｉｏｎ  Ｍｕｌｐｉｐｌｅ  Ａｃｃｅｓｓ）方式の信号等では、一定周期毎に予め定められた信号成分（以下、同期信号成分と称する）が含まれるものがある。従来の信号解析装置、信号受信装置等では、当該同期信号成分の位置を検出することにより、当該方式の信号に対して同期をとり、復元等の信号処理を行っている。
【０００３】
従来の信号解析装置等には、受信信号と比較すべき参照信号が予め与えられる。信号解析装置等は、参照信号に基づいて、受信信号の同期信号成分の位置を検出する。次に、従来の信号解析装置等における同期信号成分の位置を検出する具体的な方法を説明する。ここで、受信信号に含まれる同期信号成分のデータ長をａとし、各同期信号成分の間に含まれるデータ成分のデータ長をｂとする。つまり、同期信号成分は、周期ａ＋ｂで、受信信号に配置される。
【０００４】
従来の信号解析装置等は、同期信号成分が両端に配置され、同期信号成分の間にデータ長ｂのデータ成分を有する参照信号を用いて、受信信号の同期信号成分の位置を検出する。つまり、参照信号のデータ長は２ａ＋ｂである。また、参照信号に含まれるデータ成分は任意のデータ配列である。
【０００５】
従来の信号解析装置等は、受信信号に対する参照信号の相対位置を順次変更し、受信信号と参照信号との相関値を相対位置毎に算出する。受信信号の同期信号成分の位置と、参照信号の同期信号成分の位置とが異なるような相対位置の場合、相関値は低くなり、これらの位置が一致するような相対位置の場合、相関値は高くなる。このため、相関値が最大となる相対位置を検出することにより、受信信号における同期信号成分の位置を検出することができる。
【０００６】
現在、関連する特許文献等は認識していないので、その記載を省略する。
【発明の開示】
【発明が解決しようとする課題】
【０００７】
従来の同期方法は、参照信号に二つの同期信号成分が含まれるので、同期信号成分を一つだけ含む参照信号を用いた場合に比べ、精度よく位置検出を行うことができる。しかし、参照信号のデータ長の増大に伴い、相関値を算出する計算量が増大する。また、受信信号における信号雑音比が悪い場合、同期信号成分の位置を誤って検出してしまう可能性がある。
【０００８】
信号雑音比の悪い受信信号に対しては、更に多くの同期信号成分を一定周期で含む参照信号を用いることにより、位置検出の信頼性を高めることはできる。しかし、上述したように、参照信号のデータ長の増大に伴い、相関値を算出する計算量が増大するという問題が生じてしまう。
【０００９】
このため本発明は、上述した課題を解決することのできる同期回路、同期方法、プログラム、記録媒体、及び受信装置を提供することを目的とする。この目的は、請求の範囲における独立項に記載の特徴の組み合わせにより達成される。また従属項は本発明の更なる有利な具体例を規定する。
【課題を解決するための手段】
【００１０】
上記課題を解決するために、本発明の第１形態においては、一定周期毎に同期信号成分が含まれる被測定信号について、同期信号成分の位置を検出する同期回路であって、被測定信号において一定周期で配置される位相のデータを始点とし、それぞれの始点から、同期信号成分を少なくとも一つ含む長さのデータを抽出した複数の分割信号を生成する分割信号生成部と、複数の分割信号において、対応するデータ位置のデータ値の和をそれぞれ算出し、加算信号を生成する加算信号生成部と、同期信号成分と略同一のデータを有する参照信号成分を予め格納する参照信号格納部と、加算信号に対する参照信号の相対位置を変化させ、それぞれの相対位置における加算信号と参照信号との相関値を算出する相関算出部と、相関値が最大となる相対位置に基づいて、同期信号成分の位置を検出する同期信号成分検出部とを備える同期回路を提供する。
【００１１】
分割信号生成部は、一定周期のデータ長に同期信号成分のデータ長を加算し、更に１単位分のデータ長を減算したデータ長を、それぞれの始点から抽出し、複数の分割信号を生成してよい。
【００１２】
参照信号格納部は、周波数領域の参照信号成分を格納し、相関算出部は、加算信号を周波数領域の信号に変換する信号変換部と、周波数領域の参照信号成分と、周波数領域の加算信号とを複素共役積算する乗算部と、乗算部における乗算結果を時間領域の信号に変換し、相対位置毎の相関値を算出する信号逆変換部とを有してよい。
【００１３】
本発明の第２の形態においては、一定周期毎に同期信号成分が含まれる被測定信号について、同期信号成分の位置を検出する同期方法であって、被測定信号において一定周期で配置される位相のデータを始点とし、それぞれの始点から、同期信号成分を少なくとも一つ含む長さのデータを抽出した複数の分割信号を生成する分割信号生成段階と、複数の分割信号において、対応するデータ位置のデータ値の和をそれぞれ算出し、加算信号を生成する加算信号生成段階と、同期信号成分と略同一のデータを有する参照信号成分を予め格納する参照信号格納段階と、加算信号に対する参照信号の相対位置を変化させ、それぞれの相対位置における加算信号と参照信号との相関値を算出する相関算出段階と、相関値が最大となる相対位置に基づいて、同期信号成分の位置を検出する同期信号成分検出段階とを備える同期方法を提供する。
【００１４】
本発明の第３の形態においては、一定周期毎に同期信号成分が含まれる被測定信号について、同期信号成分の位置を検出する同期回路を機能させるプログラムであって、同期回路を、被測定信号において一定周期で配置される位相のデータを始点とし、それぞれの始点から、同期信号成分を少なくとも一つ含む長さのデータを抽出した複数の分割信号を生成する分割信号生成部と、複数の分割信号において、対応するデータ位置のデータ値の和をそれぞれ算出し、加算信号を生成する加算信号生成部と、同期信号成分と略同一のデータを有する参照信号成分を予め格納する参照信号格納部と、加算信号に対する参照信号の相対位置を変化させ、それぞれの相対位置における加算信号と参照信号との相関値を算出する相関算出部と、相関値が最大となる相対位置に基づいて、同期信号成分の位置を検出する同期信号成分検出部として機能させるプログラムを提供する。
【００１５】
本発明の第４の形態においては、一定周期毎に同期信号成分が含まれる被測定信号について、同期信号成分の位置を検出する同期回路を機能させるプログラムを格納した記録媒体であって、プログラムは、同期回路を、被測定信号において一定周期で配置される位相のデータを始点とし、それぞれの始点から、同期信号成分を少なくとも一つ含む長さのデータを抽出した複数の分割信号を生成する分割信号生成部と、複数の分割信号において、対応するデータ位置のデータ値の和をそれぞれ算出し、加算信号を生成する加算信号生成部と、同期信号成分と略同一のデータを有する参照信号成分を予め格納する参照信号格納部と、加算信号に対する参照信号の相対位置を変化させ、それぞれの相対位置における加算信号と参照信号との相関値を算出する相関算出部と、相関値が最大となる相対位置に基づいて、同期信号成分の位置を検出する同期信号成分検出部として機能させる記録媒体を提供する。
【００１６】
本発明の第５の形態においては、一定周期毎に同期信号成分が含まれる送信信号を受信する受信装置であって、送信信号の同期信号成分の位置を検出する同期回路と、同期回路が検出した同期信号成分の位置に基づいて、送信信号の信号処理を行う処理部とを備え、同期回路は、被測定信号において一定周期で配置される位相のデータを始点とし、それぞれの始点から、同期信号成分を少なくとも一つ含む長さのデータを抽出した複数の分割信号を生成する分割信号生成部と、複数の分割信号において、対応するデータ位置のデータ値の和をそれぞれ算出し、加算信号を生成する加算信号生成部と、同期信号成分と略同一のデータを有する参照信号成分を予め格納する参照信号格納部と、加算信号に対する参照信号の相対位置を変化させ、それぞれの相対位置における加算信号と参照信号との相関値を算出する相関算出部と、相関値が最大となる相対位置に基づいて、同期信号成分の位置を検出する同期信号成分検出部とを有する受信装置を提供する。
【００１７】
なお、上記の発明の概要は、本発明の必要な特徴の全てを列挙したものではなく、これらの特徴群のサブコンビネーションもまた、発明となりうる。
【発明を実施するための最良の形態】
【００１８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１９】
図１は、本発明の実施形態に係る受信装置１００の構成の一例を示す図である。受信装置１００は、例えばＣＤＭＡ方式等の信号を受信する装置である。つまり、受信装置１００は、一定周期毎に予め定められた同期信号成分が含まれる信号を受信する。本例において受信装置１００は、アナログデジタルコンバータ（以下、ＡＤＣと称する）１０、メモリ１２、同期回路２０、及び処理部１４を備える。
【００２０】
ＡＤＣ１０は、受信装置１００が受信した信号を、デジタル信号に変換する。メモリ１２は、ＡＤＣ１０が出力するデジタル信号を格納する。同期回路２０は、受信信号に含まれる同期信号成分の位置を検出する。処理部１４は、同期信号成分の位置に基づいて、受信信号に対して信号処理を行う。例えば、処理部１４は、同期信号成分の位置に基づいて、受信信号に拡散符号を乗算してよい。
【００２１】
また、受信装置１００は、一定周期毎に同期信号成分が含まれる被測定信号を出力する被試験デバイス２００を試験する試験装置として機能してよい。この場合、受信装置１００は被測定信号を受信する。同期回路２０は、被測定信号に含まれる同期信号成分の位置を検出する。また、処理部１４は、同期信号成分の位置に基づいて、被測定信号に対して信号処理を行う。処理部１４は、拡散符号を乗算した被測定信号に基づいて、被試験デバイス２００の良否を判定してよい。また、受信装置１００は、受信信号を解析する解析装置として用いられてもよい。
【００２２】
図２は、同期回路２０の構成の一例を示す図である。同期回路２０は、分割信号生成部２２、加算信号生成部２８、参照信号格納部２４、相関算出部２６、及び同期信号成分検出部３０を有する。同期回路２０は、ハードウェアにより実現されてよく、またソフトウェアにより実現されてもよい。また、同期回路２０は、ハードウェア及びソフトウェアの協働により実現されてもよい。参照信号格納部２４は、受信した被測定信号の同期信号成分と略同一のデータを有する参照信号成分を予め格納する。例えば、参照信号格納部２４は、被測定信号の送信時に、被測定信号に挿入される同期信号成分と同一のデータを有する参照信号成分を予め格納してよい。
【００２３】
図３は、分割信号生成部２２及び加算信号生成部２８の動作の一例を示す図である。分割信号生成部２２は、被測定信号において一定周期で配置される位相のデータを始点とし、それぞれの始点から、同期信号成分を少なくとも一つ含む長さのデータを抽出することにより、複数の分割信号を生成する。ここで、同期信号成分を少なくとも一つ含むとは、同期信号成分を連続した状態で少なくとも一つ含むことを指す。例えば、分割信号の先頭部分に同期信号成分の後半部分を有し、分割信号の末尾部分に同期信号成分の前半部分を有することにより、全体として一つの同期信号成分を有する状態は含まれない。
【００２４】
即ち、被測定信号に含まれる同期信号成分のデータ長をａとし、同期信号成分間のデータ成分のデータ長をｂとした場合、それぞれの分割信号は、２ａ＋ｂ−１より大きいデータ長を有する。ここで、「１」とは、被測定信号により伝送されるデータの、１単位分のデータ長を示す。例えば、１単位分のデータ長とは、１シンボルのデータ長である。つまり、それぞれの分割信号は、被測定信号において同期信号成分が配置される一定周期のデータ長（ａ＋ｂ）に、同期信号成分のデータ長（ａ）を加算し、更に１単位分のデータ長を減算したデータ長を有する。このため、それぞれの分割信号の先頭部分のデータは、前段の分割信号の末尾部分のデータと重複する。
【００２５】
このように、分割信号生成部２２が、係る分割信号を生成することにより、各分割信号に少なくとも一つの同期信号成分を含ませることができる。また、分割信号生成部２２は、２ａ＋ｂ−１のデータ長を有する分割信号を生成することが好ましい。それぞれの分割信号がこのようなデータ長を有することにより、それぞれの分割信号には、連続した状態の同期信号成分が一つだけ含まれる。
【００２６】
また、加算信号生成部２８は、複数の分割信号において、対応するデータ位置のデータ値の和をそれぞれ算出し、加算信号を生成する。ここで、「対応するデータ位置」とは、それぞれの分割信号における先頭データからの相対位置が等しいデータ位置を指す。例えば、加算信号の先頭データは、全ての分割信号の先頭データを加算したデータであり、加算信号の末尾データは、全ての分割信号の末尾データを加算したデータである。
【００２７】
図４は、相関算出部２６、及び同期信号成分検出部３０の動作の一例を示す図である。相関算出部２６は、加算信号に対する参照信号の相対位置ｘを変化させ、それぞれの相対位置ｘにおける加算信号と参照信号との相関値を算出する。つまり、加算信号と参照信号とを同一の軸上に配置し、参照信号の位置を順次変化させる。そして、参照信号のそれぞれの位置毎に、参照信号と、参照信号の位置に対応する加算信号の成分との相関値を算出する。
【００２８】
加算信号は、複数の分割信号を加算したデータである。このため、分割信号において同期信号が含まれるデータ位置に対応する加算信号のデータ位置には、参照信号と相関の高いデータが存在する。また、ノイズ等の影響により、いずれかの分割信号において、同期信号とは別に参照信号と相関の高いデータが重畳された場合であっても、全ての分割信号において、当該データと同一の位置に同様のデータが重畳される可能性はきわめて低い。このため、加算信号において同期信号が含まれるべきデータ位置以外では、参照信号との相関は低くなる。
【００２９】
同期信号成分検出部３０は、相関値が最大となる相対位置ｘに基づいて、同期信号成分の位置を検出する。例えば、当該相対位置ｘを、同期信号成分の位置として検出してよい。上述したように、被測定信号に重畳されるノイズ成分によっては、いずれかの分割信号に、参照信号と相関の高いデータが複数存在する場合がある。しかし、本例の受信装置１００は、複数の分割信号を加算して相関値を取得するので、ノイズ等の影響を低減し、精度よく同期信号成分の位置を検出することができる。
【００３０】
また、本例における受信装置１００によれば、従来の装置に比べ、データ長の短い参照信号成分を用いて同期信号成分の位置を検出することができる。このため、少ない演算量で相関値を算出することができ、処理速度を向上させることができる。
【００３１】
図５は、受信装置１００の動作の一例を示すフローチャートである。まず、信号取込段階Ｓ２０２において、被測定信号をメモリ１２に格納する。次に、分割信号生成段階Ｓ２０４において、分割信号生成部２２は、当該被測定信号に基づいて複数の分割信号を生成する。
【００３２】
次に、信号加算段階Ｓ２０６において、加算信号生成部２８は、複数の分割信号を加算する。そして、相関算出段階Ｓ２０８において、相関算出部２６は、加算信号と参照信号成分との相関値を、相対位置毎に算出する。次に、位置検出段階Ｓ２１０において、同期信号成分検出部３０は、相関算出段階Ｓ２０８において算出した相関値が最大となる相対位置を、同期信号成分の位置として検出する。このような処理により、ノイズ等の影響を低減し、精度よく同期信号成分の位置を検出することができる。
【００３３】
図６は、相関算出部２６の構成の一例を示す図である。相関算出部２６は、時間領域の被測定信号及び参照信号成分を用いて相関値を算出してよく、周波数領域の被測定信号及び参照信号成分を用いて相関値を算出してもよい。本例において相関算出部２６は、周波数領域の被測定信号及び参照信号成分を用いて相関値を算出する。
【００３４】
相関算出部２６は、信号変換部３２、乗算部３４、及び信号逆変換部３６を有する。また、本例において参照信号格納部２４は、周波数領域の参照信号成分を格納する。信号変換部３２は、加算信号生成部２８が出力する加算信号を周波数領域の信号に変換する。例えば信号変換部３２は、高速フーリエ変換により、加算信号を周波数領域の信号に変換してよい。
【００３５】
乗算部３４は、周波数領域の参照信号成分と、周波数領域の加算信号とを複素共役積算する。例えば、乗算部３４は、参照信号成分の実部と加算信号の実部とを乗算したものに、参照信号成分の虚部と加算信号の虚部とを乗算したものを加算し、乗算結果の実部として出力する。また、乗算部３４は、参照信号成分の虚部と加算信号の実部とを乗算したものから、参照信号成分の実部と加算信号の虚部とを乗算したものを減算し、乗算結果の虚部として出力する。
【００３６】
信号逆変換部３６は、乗算部における乗算結果を時間領域の信号に変換する。例えば信号逆変換部３６は、乗算部３４が出力する信号を高速フーリエ逆変換することにより、時間領域の信号を生成してよい。信号逆変換部３６が出力する時間信号の時間軸が相対位置ｘを示し、信号レベルが相関値を示す。このような構成により、容易に相関値を算出することができる。
【００３７】
また、本例において参照信号格納部２４は、周波数領域の参照信号成分を格納したが、他の例においては、参照信号格納部２４は、時間領域の参照信号成分を格納してもよい。この場合、信号変換部３２は、加算信号及び参照信号成分の双方を、周波数領域の信号に変換する。
【００３８】
図７は、受信装置１００を制御するコンピュータ５００の構成の一例を示す図である。本例において、コンピュータ５００は、受信装置１００を図１から図６において説明したように機能させるプログラムを格納する。コンピュータ５００は、ＣＰＵ７００と、ＲＯＭ７０２と、ＲＡＭ７０４と、通信インターフェース７０６と、ハードディスクドライブ７１０と、ＦＤドライブ７１２と、ＣＤ−ＲＯＭドライブ７１４とを備える。ＣＰＵ７００は、ＲＯＭ７０２、ＲＡＭ７０４、ハードディスクドライブ７１０、フレキシブルディスク７２０、及び／又はＣＤ−ＲＯＭ７２２に格納されたプログラムに基づいて動作する。
【００３９】
例えば、受信装置１００を機能させるプログラムは、受信装置１００を、図１から図６において説明したＡＤＣ１０、メモリ１２、同期回路２０、及び処理部１４として機能させる。また、コンピュータ５００は、当該プログラムに基づいて、メモリ１２、同期回路２０、及び処理部１４として機能してもよい。例えば、ＲＡＭ７０４がメモリ１２として機能し、ＣＰＵ７００が同期回路２０及び処理部１４として機能してよい。
【００４０】
通信インターフェース７０６は、例えば受信装置１００と通信し、受信装置１００を制御する。格納装置の一例としてのハードディスクドライブ７１０は、設定情報及びＣＰＵ７００を動作させるプログラムを格納する。ＲＯＭ７０２、ＲＡＭ７０４、及び／又はハードディスクドライブ７１０は、受信装置１００を図１から図６に関連して説明した受信装置１００として機能させるためのプログラムを格納する。また、当該プログラムは、フレキシブルディスク７２０、ＣＤ−ＲＯＭ７２２、ハードディスクドライブ７１０等に格納されていてもよい。
【００４１】
ＦＤドライブ７１２はフレキシブルディスク７２０からプログラムを読み取りＣＰＵ７００に提供する。ＣＤ−ＲＯＭドライブ７１４はＣＤ−ＲＯＭ７２２からプログラムを読み取りＣＰＵ７００に提供する。
【００４２】
また、プログラムは記録媒体から直接ＲＡＭに読み出されて実行されても、一旦ハードディスクドライブにインストールされた後にＲＡＭに読み出されて実行されても良い。更に、上記プログラムは単一の記録媒体に格納されても複数の記録媒体に格納されても良い。また記録媒体に格納されるプログラムは、オペレーティングシステムとの共同によってそれぞれの機能を提供してもよい。例えば、プログラムは、機能の一部または全部を行うことをオペレーティングシステムに依頼し、オペレーティングシステムからの応答に基づいて機能を提供するものであってもよい。
【００４３】
プログラムを格納する記録媒体としては、フレキシブルディスク、ＣＤ−ＲＯＭの他にも、ＤＶＤ、ＰＤ等の光学記録媒体、ＭＤ等の光磁気記録媒体、テープ媒体、磁気記録媒体、ＩＣカードやミニチュアーカードなどの半導体メモリ等を用いることができる。又、専用通信ネットワークやインターネットに接続されたサーバシステムに設けたハードディスクまたはＲＡＭ等の格納装置を記録媒体として使用してもよい。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【産業上の利用可能性】
【００４５】
以上から明らかなように、本発明によれば、一定周期で同期信号成分を含む被測定信号に対して、精度よく同期をとることができる。
【図面の簡単な説明】
【００４６】
【図１】本発明の実施形態に係る受信装置１００の構成の一例を示す図である。
【図２】同期回路２０の構成の一例を示す図である。
【図３】分割信号生成部２２及び加算信号生成部２８の動作の一例を示す図である。
【図４】相関算出部２６、及び同期信号成分検出部３０の動作の一例を示す図である。
【図５】受信装置１００の動作の一例を示すフローチャートである。
【図６】相関算出部２６の構成の一例を示す図である。
【図７】受信装置１００を制御するコンピュータ５００の構成の一例を示す図である。
【符号の説明】
【００４７】
１０・・・ＡＤＣ、１２・・・メモリ、１４・・・処理部、２０・・・同期回路、２２・・・分割信号生成部、２４・・・参照信号格納部、２６・・・相関算出部、２８・・・加算信号生成部、３０・・・同期信号成分検出部、３２・・・信号変換部、３４・・・乗算部、３６・・・信号逆変換部、１００・・・受信装置、２００・・・被試験デバイス、５００・・・コンピュータ、７００・・・ＣＰＵ、７０２・・・ＲＯＭ、７０４・・・ＲＡＭ、７０６・・・通信インターフェース、７１０・・・ハードディスクドライブ、７１２・・・ＦＤドライブ、７１４・・・ＣＤ−ＲＯＭドライブ、７２０・・・フレキシブルディスク、７２２・・・ＣＤ−ＲＯＭ
【図１】
2007166167.tif 000003
【図２】
2007166167.tif 000004
【図３】
2007166167.tif 000005
【図４】
2007166167.tif 000006
【図５】
2007166167.tif 000007
【図６】
2007166167.tif 000008
【図７】
2007166167.tif 000009